(57)【要約】【課題】再ＲＩＰに係る情報をユーザに通知して画像形成装置側での効率的な編集作業を支援する画像形成装置、画像形成システムを提供する。【解決手段】プリンタコントローラ１０はＰＣから受信した印刷データをラスタライズしてイメージデータを生成し（Ｓ１１１）、画像形成装置２０は該イメージデータを含むジョブデータをプリンタコントローラ１０から受信して記憶し（Ｓ１２４）、該記憶したジョブデータに対する編集操作を受け付け（Ｓ１２５）、この編集操作によってイメージデータの再ＲＩＰが必要となった場合は（Ｓ１２６；Ｙｅｓ）、ユーザに対してその旨を通知し（Ｓ１２７）、かつ再ＲＩＰの要求をプリンタコントローラに対して送信する（Ｓ１２８）。【選択図】図３
2009298043.tif 000002
【特許請求の範囲】
【請求項１】
印刷データをラスタライズしてイメージデータを生成するプリンタコントローラから前記イメージデータを含むジョブデータを受信し、前記ジョブデータに基づいて画像形成する画像形成装置において、
記憶部と、表示操作部と、制御部とを備え、
前記制御部は、前記プリンタコントローラから受信したジョブデータを前記記憶部に保存し、前記記憶部に保存されているジョブデータに対して前記表示操作部を通じて編集操作を受け付け、該編集操作によって前記ジョブデータに係るイメージデータのラスタライズによる再生成が必要か否かを判定し、前記再生成が必要な場合はその旨を前記表示操作部に表示しかつ前記プリンタコントローラに前記編集操作に対応するイメージデータの再生成を要求する
ことを特徴とする画像形成装置。
【請求項２】
前記制御部は、前記編集操作によって前記再生成が必要となった場合は、前記要求を送信する前に、前記編集操作をキャンセルするか否かを前記表示操作部により問い合わせる
ことを特徴とする請求項１に記載の画像形成装置。
【請求項３】
前記制御部は、前記再生成の所要時間を推定し、前記所要時間が所定の基準時間より短い場合は前記問い合わせを行わずに前記要求を送信する
ことを特徴とする請求項２に記載の画像形成装置。
【請求項４】
前記制御部は、前記要求を送信してから該要求に係る前記再生成が完了する前に所定の許容時間が経過した場合は、前記再生成を継続させるか中止させるかを前記表示操作部にて問い合わせ、再生成の中止が選択された場合は、前記要求に係る再生成の中止要求を前記プリンタコントローラへ送信する
ことを特徴とする請求項１乃至３のいずれか１つに記載の画像形成装置。
【請求項５】
印刷データをラスタライズしてイメージデータを生成するプリンタコントローラと、
前記プリンタコントローラから前記イメージデータを含むジョブデータを受信し、前記ジョブデータに基づいて画像形成する画像形成装置と、
を備えた画像形成システムにおいて、
前記プリンタコントローラは、保存部を有し、該保存部に前記印刷データに基づくラスタライズを再度行うためのデータを保存し、
前記画像形成装置は、
記憶部と、表示操作部と、制御部とを備え、
前記制御部は、前記プリンタコントローラから受信したジョブデータを前記記憶部に保存し、前記記憶部に保存されているジョブデータに対して前記表示操作部を通じて編集操作を受け付け、該編集操作によって前記ジョブデータに係るイメージデータのラスタライズによる再生成が必要か否かを判定し、前記再生成が必要な場合はその旨を前記表示操作部に表示しかつ前記プリンタコントローラに前記編集操作に対応するイメージデータの再生成を要求し、
前記要求を受けた前記プリンタコントローラは、前記保存部に保存されている前記データに基づいて前記要求に応じたイメージデータを再生成し、該イメージデータを前記画像形成装置に送信し、
前記再生成された前記イメージデータを前記プリンタコントローラから受信した前記画像形成装置は、該イメージデータで前記記憶部に保存されている前記ジョブデータに係るイメージデータを置き換える
ことを特徴とする画像形成システム。
【請求項６】
前記制御部は、前記編集操作によって前記再生成が必要となった場合は、前記要求を送信する前に、前記編集操作をキャンセルするか否かを前記表示操作部により問い合わせる
ことを特徴とする請求項５に記載の画像形成システム。
【請求項７】
前記制御部は、前記再生成の所要時間を推定し、前記所要時間が所定の基準時間より短い場合は前記問い合わせを行わずに前記要求を送信する
ことを特徴とする請求項６に記載の画像形成システム。
【請求項８】
前記制御部は、前記要求を送信してから該要求に係る前記再生成が完了する前に所定の許容時間が経過した場合は、前記再生成を継続させるか中止させるかを前記表示操作部にて問い合わせ、再生成の中止が選択された場合は、前記要求に係る再生成の中止要求を前記プリンタコントローラへ送信し、
前記中止要求を受信したプリンタコントローラは前記要求に係る再生成を中止する
ことを特徴とする請求項５乃至７のいずれか１つに記載の画像形成システム。
【発明の詳細な説明】
【技術分野】
【０００１】
本発明は、プリンタコントローラでラスタライズして生成されたイメージデータに基づいて画像形成する画像形成装置および画像形成システムに関する。
【背景技術】
【０００２】
コードデータやベクトルデータで文字や図形を記述した印刷データに係る印刷処理は、プリンタコントローラにて印刷データをラスタライズ（ＲＩＰ（Raster Image Processor）処理とも呼ぶ。）してビットマップ形式のイメージデータを生成し、プリンタコントローラから該イメージデータを含むジョブデータを画像形成装置に送信し、画像形成装置にて該ジョブデータに基づく画像を用紙上に形成するという流れで行われる。
【０００３】
また、画像形成装置にハードディスク装置など大容量の記憶部を設けておき、プリンタコントローラから受信したジョブデータを記憶部に一旦保存し、該保存したジョブデータに対して画像形成装置の表示操作部から各種の編集操作を行い得るように構成される場合もある。たとえば、片面／両面印刷や出力トレイに関する設定の変更、穴あけ・折り・綴じに関する設定の変更、色調や紙種に関する設定の変更などの編集操作を画像形成装置の表示操作部で受け付け可能に構成される。
【０００４】
これら編集操作の中には画像形成装置側で行う処理のみで対応可能なもの（たとえば、出力トレイの変更）と、たとえば、色調の変更のように、画像形成装置側の処理のみでは対応できず、プリンタコントローラでのラスタライズによるイメージデータの再生成（以後、再ＲＩＰとも呼ぶ。）を要するものがある。
【０００５】
上記の再ＲＩＰを含め、ＲＩＰ処理に要する時間は短いことが望まれる。ＲＩＰ処理の処理時間を短縮する技術には、予測処理時間を算出し、指定時間より長い場合に画質を低下させてＲＩＰ処理の処理時間を短縮する技術（たとえば、特許文献１参照。）や、複数のプロセッサで並列処理することでラスタライズの処理時間を短縮する技術（たとえば、特許文献２参照。）などがある。
【０００６】
【特許文献１】特開平１０−３０５６３９号公報
【特許文献２】特開２００４−１９９６８７号公報
【発明の開示】
【発明が解決しようとする課題】
【０００７】
ＲＩＰ処理の処理時間を短縮する技術を採用したとしても、再ＲＩＰの対象ページが多数ある場合には再ＲＩＰに長い処理時間を要するため、たとえば、編集結果のプレビュー画面を確認したいユーザを長く待たせてしまうことがある。また、ユーザはどの編集操作を行うと再ＲＩＰになるか否かが分からないので、たとえば、再ＲＩＰを要する編集操作は避ける、再ＲＩＰを要する複数の編集操作をまとめて行う、といった選択を適切に行って編集作業を効率的に進めることが困難であった。
【０００８】
本発明は、上記の問題を解決しようとするものであり、再ＲＩＰに係る情報をユーザに通知して画像形成装置側での効率的な編集作業を支援することのできる画像形成装置および画像形成システムを提供することを目的としている。
【課題を解決するための手段】
【０００９】
かかる目的を達成するための本発明の要旨とするところは、次の各項の発明に存する。
【００１０】
［１］印刷データをラスタライズしてイメージデータを生成するプリンタコントローラから前記イメージデータを含むジョブデータを受信し、前記ジョブデータに基づいて画像形成する画像形成装置において、
記憶部と、表示操作部と、制御部とを備え、
前記制御部は、前記プリンタコントローラから受信したジョブデータを前記記憶部に保存し、前記記憶部に保存されているジョブデータに対して前記表示操作部を通じて編集操作を受け付け、該編集操作によって前記ジョブデータに係るイメージデータのラスタライズによる再生成が必要か否かを判定し、前記再生成が必要な場合はその旨を前記表示操作部に表示しかつ前記プリンタコントローラに前記編集操作に対応するイメージデータの再生成を要求する
ことを特徴とする画像形成装置。
【００１１】
上記発明では、画像形成装置はラスタライズされたイメージデータを含むジョブデータをプリンタコントローラから受信して記憶し、該記憶したジョブデータに対する編集操作を受け付け、該編集操作によってイメージデータの再生成が必要となった場合は、ユーザに対してその旨の通知を行い、かつ再生成の要求をプリンタコントローラに対して送信する。このように、編集操作によりイメージデータの再生成（再ＲＩＰ）が必要になったことをユーザに通知するので、ユーザは当該編集によりイメージデータの生成処理が再度行われることを認識できる。
【００１２】
［２］前記制御部は、前記編集操作によって前記再生成が必要となった場合は、前記要求を送信する前に、前記編集操作をキャンセルするか否かを前記表示操作部により問い合わせる
ことを特徴とする［１］に記載の画像形成装置。
【００１３】
上記発明では、イメージデータの再生成を望まない場合に、ユーザは編集操作をキャンセルすることができる。
【００１４】
［３］前記制御部は、前記再生成の所要時間を推定し、前記所要時間が所定の基準時間より短い場合は前記問い合わせを行わずに前記要求を送信する
ことを特徴とする［２］に記載の画像形成装置。
【００１５】
上記発明では、再生成の所要時間が基準時間より短い場合は、ユーザにその許否を問い合わせることなく、再生成が実行される。短時間の処理に対してユーザの意志を確認することにより、かえって利便性を低下させてしまうことが防止される。
【００１６】
［４］前記制御部は、前記要求を送信してから該要求に係る前記再生成が完了する前に所定の許容時間が経過した場合は、前記再生成を継続させるか中止させるかを前記表示操作部にて問い合わせ、再生成の中止が選択された場合は、前記要求に係る再生成の中止要求を前記プリンタコントローラへ送信する
ことを特徴とする［１］乃至［３］のいずれか１つに記載の画像形成装置。
【００１７】
上記発明では、再生成を要求してからその完了通知が許容時間を越えても受信されない場合に、ユーザに再生成の継続／中止を問い合わせるので、ユーザは再生成処理が長時間となった場合にこれを中止させることができる。
【００１８】
［５］印刷データをラスタライズしてイメージデータを生成するプリンタコントローラと、
前記プリンタコントローラから前記イメージデータを含むジョブデータを受信し、前記ジョブデータに基づいて画像形成する画像形成装置と、
を備えた画像形成システムにおいて、
前記プリンタコントローラは、保存部を有し、該保存部に前記印刷データに基づくラスタライズを再度行うためのデータを保存し、
前記画像形成装置は、
記憶部と、表示操作部と、制御部とを備え、
前記制御部は、前記プリンタコントローラから受信したジョブデータを前記記憶部に保存し、前記記憶部に保存されているジョブデータに対して前記表示操作部を通じて編集操作を受け付け、該編集操作によって前記ジョブデータに係るイメージデータのラスタライズによる再生成が必要か否かを判定し、前記再生成が必要な場合はその旨を前記表示操作部に表示しかつ前記プリンタコントローラに前記編集操作に対応するイメージデータの再生成を要求し、
前記要求を受けた前記プリンタコントローラは、前記保存部に保存されている前記データに基づいて前記要求に応じたイメージデータを再生成し、該イメージデータを前記画像形成装置に送信し、
前記再生成された前記イメージデータを前記プリンタコントローラから受信した前記画像形成装置は、該イメージデータで前記記憶部に保存されている前記ジョブデータに係るイメージデータを置き換える
ことを特徴とする画像形成システム。
【００１９】
上記発明では、プリンタコントローラは印刷データをラスタライズして生成したイメージデータを含むジョブデータを画像形成装置に送信すると共に、イメージデータを処理条件を変えて再度ラスタライズするために必要なデータを保存する。画像形成装置はラスタライズされたイメージデータを含むジョブデータをプリンタコントローラから受信して記憶し、該記憶したジョブデータに対する編集操作を受け付け、該編集操作によってイメージデータの再生成が必要となった場合は、ユーザに対してその旨の通知を行い、かつ再生成の要求をプリンタコントローラに対して送信する。プリンタコントローラは該要求に応じてイメージデータを再生成して画像形成装置に送信し、画像形成装置は、該再生成されたイメージデータで元のイメージデータを置き換える。このように、編集操作によりイメージデータの再生成（再ＲＩＰ）が必要になったことをユーザに通知するので、ユーザは当該編集によりイメージデータの生成処理が再度行われることを認識できる。
【００２０】
［６］前記制御部は、前記編集操作によって前記再生成が必要となった場合は、前記要求を送信する前に、前記編集操作をキャンセルするか否かを前記表示操作部により問い合わせる
ことを特徴とする［５］に記載の画像形成システム。
【００２１】
上記発明では、イメージデータの再生成を望まない場合に、ユーザは編集操作をキャンセルすることができる。
【００２２】
［７］前記制御部は、前記再生成の所要時間を推定し、前記所要時間が所定の基準時間より短い場合は前記問い合わせを行わずに前記要求を送信する
ことを特徴とする［６］に記載の画像形成システム。
【００２３】
上記発明では、再生成の所要時間が基準時間より短い場合は、ユーザにその許否を問い合わせることなく、再生成が実行される。
【００２４】
［８］前記制御部は、前記要求を送信してから該要求に係る前記再生成が完了する前に所定の許容時間が経過した場合は、前記再生成を継続させるか中止させるかを前記表示操作部にて問い合わせ、再生成の中止が選択された場合は、前記要求に係る再生成の中止要求を前記プリンタコントローラへ送信し、
前記中止要求を受信したプリンタコントローラは前記要求に係る再生成を中止する
ことを特徴とする［５］乃至［７］のいずれか１つに記載の画像形成システム。
【００２５】
上記発明では、再生成を要求してからその完了通知が許容時間を越えても受信されない場合に、ユーザに再生成の継続／中止を問い合わせるので、ユーザは再生成処理が長時間となった場合にこれを中止させることができる。
【発明の効果】
【００２６】
本発明に係る画像形成装置および画像形成システムによれば、画像形成装置側での編集操作に対してイメージデータの再生成の要否等に関する情報をユーザに通知するので、画像形成装置側での効率的な編集作業を支援することができる。
【発明を実施するための最良の形態】
【００２７】
以下、図面に基づき本発明の各種実施の形態を説明する。
【００２８】
図１は、本発明の第１の実施の形態に係る画像形成システム５のシステム構成を示し、図２は画像形成装置２０の概略の機械構成を示している。
【００２９】
図１に示すように、画像形成システム５は、プリンタコントローラ１０と画像形成装置２０を備えて構成される。プリンタコントローラ１０は、パーソナルコンピュータ（ＰＣ）などの情報処理装置２とＬＡＮ（Local Area Network）などのネットワーク３を介して接続されており、情報処理装置２から送られてくる印刷データをラスタライズしてビットマップ形式のイメージデータを生成する処理（ＲＩＰ処理）を実行する機能を果たす。画像形成装置２０は、プリンタコントローラ１０の生成したイメージデータに基づいて用紙上にカラー画像またはモノクロ画像を形成して出力するプリント出力機能を果たす。ここでは、画像形成装置２０はプリント出力機能のほかに、原稿を光学的に読み取りその複製画像を用紙上に形成するコピー機能などを備えた、所謂、デジタルカラー複合機として構成されている。
【００３０】
プリンタコントローラ１０は、当該プリンタコントローラ１０の動作を統括制御するＣＰＵ（Central Processing Unit）１１と、ネットワーク３に接続するための通信機能を果たすＬＡＮＩＦ部１２と、ＲＩＰ処理により生成したイメージデータなどを記憶する画像メモリ１３、ネットワーク３から受信した印刷データやＲＩＰ処理の処理過程で生成される中間データなどを蓄積するハードディスク装置（ＨＤＤ）１４と、画像メモリ１３へのデータのリード／ライト機能および画像形成装置２０との間で各種データの送受信機能を果たすＤＲＡＭ制御部１５とを有している。このほか、図示省略してあるが、ＣＰＵ１１には、当該ＣＰＵが読み出して実行するプログラムや固定データを記憶したＲＯＭ（Read Only Memory）およびＣＰＵ１１がプログラムを実行する際に各種データを一時的に格納するためのワークメモリなどが接続されている。
【００３１】
画像形成装置２０は、図２に示すように、自動原稿送り装置２１を備えたスキャナ部２２と、表示操作部２３と、用紙上に画像を形成して出力するプリンタ部２４と、主制御部５０から構成される。
【００３２】
自動原稿送り装置２１は、原稿載置トレイ２１ａに積載された原稿Ｊを１枚ずつスキャナ部２２の読取箇所に送り込み、読み取りの済んだ原稿Ｊを排紙トレイ２１ｂに排出する機能を果たす。
【００３３】
スキャナ部２２は、原稿Ｊをカラーもしくはモノクロで光学的に読み取って対応する画像データを取得する機能を果たす。スキャナ部２２は、光源とミラーとから成る露光走査部と、原稿からの反射光を受光しその光強度に応じた電気信号を色別に出力するカラーのラインイメージセンサ２２ａと、原稿からの反射光をラインイメージセンサ２２ａへ導く各種のミラーや集光レンズなどを備えている。スキャナ部２２は、自動原稿送り装置２１によって原稿を搬送することにより原稿を読み取り位置に対して相対移動させながら読み取る流し読み形式のほか、原稿をプラテンガラス上に載置した状態で読み取ることができる。
【００３４】
プリンタ部２４は、タンデム型の画像形成部を備えており、無端環状の中間転写ベルト３１と、中間転写ベルト３１上にそれぞれ単一色のトナー像を形成する複数の像形成部４０Ｙ、４０Ｍ、４０Ｃ、４０Ｋと、画像形成される用紙を給紙する給紙部３２と、給紙された用紙を搬送する搬送部３３と、定着装置３４とを備えている。
【００３５】
像形成部４０Ｙは、イエロー（Ｙ）色の画像を中間転写ベルト３１上に形成し、像形成部４０Ｍは、マゼンタ（Ｍ）色の画像を中間転写ベルト３１上に形成し、像形成部４０Ｃは、シアン（Ｃ）色の画像を中間転写ベルト３１上に形成し、像形成部４０Ｋは、ブラック（Ｋ）色の画像を中間転写ベルト３１上に形成するものである。
【００３６】
像形成部４０Ｙは、表面に静電潜像が形成される円筒状の静電潜像担持体としての感光体４１Ｙと、その周囲に配置された帯電装置４２Ｙと現像装置４３Ｙとクリーニング装置４４Ｙとを有する。またレーザーダイオードと、ポリゴンミラーと、各種レンズおよびミラー等で構成されたレーザーユニット４５Ｙを備えている。
【００３７】
感光体４１Ｙは、図示省略の駆動部に駆動されて一定方向（図中の矢印Ａ方向）に回転し、帯電装置４２Ｙは、感光体４１Ｙを一様に帯電させる。レーザーユニット４５Ｙは、イエロー色の画像データに応じてオン／オフされたレーザー光で感光体４１Ｙを走査することにより、感光体４１Ｙの表面に静電潜像を形成する。現像装置４３Ｙは、感光体４１Ｙ上の静電潜像をイエロー色のトナーによって顕像化する。感光体４１Ｙの表面に形成されたトナー像は、中間転写ベルト３１と接触する箇所で中間転写ベルト３１に転写される。クリーニング装置４４Ｙは、転写後に感光体４１Ｙの表面に残留するトナーをブレード等で擦って除去し回収する機能を果たす。
【００３８】
像形成部４０Ｍ、像形成部４０Ｃ、像形成部４０Ｋはトナーの色が相違することと、それぞれの色に対応する画像データでレーザーユニットのレーザー光がオン／オフされる点を除いて像形成部４０Ｙと同一の構成であり、それらの説明は省略する。なお、図中、色違いであるが同じ構成の要素には、数字が同一であって添え字をＹに代えてその色を示す記号Ｍ（Ｍ色に対応）、Ｃ（Ｃ色に対応）、Ｋ（Ｋ色に対応）とした符号を付してある。
【００３９】
中間転写ベルト３１は複数のローラに掛け渡すようにして巻回されており、画像形成中は図中の矢印Ｂ方向に周回する。周回する過程で、（Ｙ）、（Ｍ）、（Ｃ）、（Ｋ）の順に各色の画像（トナー像）が像形成部４０Ｙ、４０Ｍ、４０Ｃ、４０Ｋによって中間転写ベルト３１上に重ねるように形成されてカラー画像が合成される。このカラー画像は、二次転写位置Ｄで中間転写ベルト３１から用紙に転写される。
【００４０】
周回方向で二次転写位置Ｄの下流には、転写後に中間転写ベルト３１上に残留しているトナーを除去するためのベルトクリーニング装置３５が設置されている。
【００４１】
給紙部３２は、画像形成に供される用紙を収納する複数の給紙カセット３２ａを有し、選択された給紙カセット３２ａから用紙を１枚ずつ搬送部３３に向けて送り出す機能を果たす。なお、搬送部３３は、給紙カセット３２ａから繰り出された用紙を二次転写位置Ｄおよび定着装置３４を通過させて、図示省略の後処理装置もしくは排紙トレイへ排出する通常経路３３ａのほか、定着装置３４を通った用紙の表裏を反転させた後、二次転写位置Ｄの上流で再び通常経路３３ａへ合流させる反転経路３３ｂを備えており、両面印刷に対応している。後処理装置は、用紙に折り目をつけたり、複数の用紙を束ねてステイプルで綴じたり、パンチで穴を開けたりする機能などを備えた装置であり、画像形成装置２０の後段に接続される。後処理装置での処理内容は、画像形成装置２０の主制御部５０から後処理装置へ出力する制御コマンドにより指定される。
【００４２】
図１に戻って画像形成装置２０の電気的構成を説明する。画像形成装置２０は、当該画像形成装置２０の動作を統括制御する主制御部５０に、スキャナ部２２とプリンタ部２４と表示操作部２３とを接続して構成される。
【００４３】
スキャナ部２２は、図２に示すラインイメージセンサ２２ａのほか、当該スキャナ部２２の動作全体を制御するスキャナ制御部２２ｂを備えている。プリンタ部２４は画像データに応じてオン/オフされる各レーザーダイオード（ＬＤ）のほか、中間転写ベルト３１や像形成部４０Ｙ、４０Ｍ、４０Ｃ、４０Ｋ、給紙部３２、搬送部３３、定着装置３４などの動作を制御するプリンタ制御部２４ｂを有している。このほか、図示省略してあるが、プリンタ制御部２４ｂには中間転写ベルト３１、像形成部４０Ｙ、４０Ｍ、４０Ｃ、４０Ｋ、給紙部３２、搬送部３３などを作動させるためのモータ、ソレノイド、センサなどが接続されている。
【００４４】
表示操作部２３は、各種設定画面や操作画面、後述する編集画面やユーザに向けて各種案内情報や通知、警告などを表示する機能、ユーザから各種の設定／選択操作や編集操作を受け付ける機能を果たす。表示操作部２３は、液晶ディスプレイからなる表示部２３ａと、その画面上に敷設されたタッチスイッチおよびその他のスイッチから成る操作部２３ｂと、表示部２３ａおよび操作部２３ｂを制御する操作制御部２３ｃとを有して構成される。
【００４５】
なお、スキャナ制御部２２ｂ、操作制御部２３ｃ、プリンタ制御部２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００４６】
主制御部５０は、画像形成装置２０の動作を統括制御する機能を果たし、読み取り処理部５１と、ＤＲＡＭ（Dynamic Random Access Memory）制御部５２と、圧縮ＩＣ５３ａと、伸張ＩＣ５３ｂと、半導体メモリで構成された画像メモリ５５と、書き込み処理部５６と、ＣＰＵ５７と、ＲＯＭ５８と、ＲＡＭ５９と、不揮発メモリ６１と、ハードディスク装置６２（ＨＤＤとも記す）などを備えて構成される。
【００４７】
読み取り処理部５１は、スキャナ部２２の出力する画像データに対して拡大処理、鏡像処理、誤差拡散処理などを施す機能を果たす。圧縮ＩＣ５３ａは画像データを圧縮し、伸張ＩＣ５３ｂは圧縮された画像データ（圧縮画像データ）を元のイメージデータに伸張する機能を果たす。画像メモリ５５は、非圧縮の画像データをページ単位で記憶可能なページメモリ５５ａとしての機能と、圧縮画像データを記憶する圧縮メモリ５５ｂなどとして使用される。
【００４８】
書き込み処理部５６は、圧縮メモリ５５ｂから読み出して伸張された画像データに応じて各色レーザーユニット４５Ｙ、４５Ｍ、４５Ｃ、４５Ｋのレーザーダイオードをオン/オフさせるための信号を、プリンタ部２４の動作に応じたタイミングで出力する機能を果たす。
【００４９】
ＤＲＡＭ制御部５２は、ダイナミックＲＡＭからなる画像メモリ５５へのリード・ライトおよびリフレッシュのタイミング制御や、画像データを圧縮して圧縮メモリ５５ｂに格納したり、圧縮メモリ５５ｂから圧縮画像データを読み出して伸張したりする際のタイミング制御などを行う。またＤＲＡＭ制御部５２にはＰＣＩ（Peripheral Component Interconnect）バス５４を通じてプリンタコントローラ１０のＤＲＡＭ制御部１５と接続されており、プリンタコントローラ１０との間でＰＣＩバス５４を通じて各種のデータを授受する機能を果たす。ここでは、プリンタコントローラ１０は画像形成装置２０の内部に組み込まれている。プリンタコントローラ１０を画像形成装置２０の外部に設ける場合には、プリンタコントローラ１０と画像形成装置２０との間でのデータの送受信は、それに適したインターフェイスで行われる。
【００５０】
ＣＰＵ５７は、画像形成装置２０の動作全体を制御する機能を果たす。ＲＯＭ５８には、プログラムや各種固定データなどが記憶されており、ＣＰＵ５７はＲＯＭ５８に格納されたプログラムに従って動作する。ＲＡＭ５９は、ＣＰＵ５７がプログラムを実行する際に各種のデータを一時的に格納するワークメモリとして使用される。不揮発メモリ６１は、電源オフ後も記憶しておくべきユーザデータやシステムデータ、後述する閾値などが記憶されるメモリである。
【００５１】
図３は、画像形成システム５における印刷処理全体の流れを示している。まず、情報処理装置２は、プリンタドライバを通してプリンタコントローラ１０へ印刷データを送信する（ステップＳ１０１）。
【００５２】
情報処理装置２から印刷データを受信したプリンタコントローラ１０のＣＰＵ１１は、該受信した印刷データに対してＲＩＰ処理（ラスタライズ処理）を行ってイメージデータを生成する（ステップＳ１１１）。そして該イメージデータと出力設定などの画像形成装置２０に対する制御コードとを含むジョブデータ（印刷ジョブ）を生成し、画像形成装置２０へ送信する（ステップＳ１１２）。また、該印刷データに基づくＲＩＰ処理を、色調などの条件を変更して再度実行してイメージデータを再生成する（これを再ＲＩＰと呼ぶ）ために必要となるデータをハードディスク装置１４（あるいは画像メモリ１３）に保存する（ステップＳ１１３）。保存するデータは、情報処理装置２から受信した印刷データでもよいし、印刷データからイメージデータを生成する途中の過程で生成された所定の中間データでもかまわない。
【００５３】
画像形成装置２０のＣＰＵ５７はプリンタコントローラ１０から受信したジョブデータを解析し（ステップＳ１２１）、出力保留の指示（制御コード）が付加されているか否かを判断する。出力保留の指示がない場合（プリントモードの場合）は（ステップＳ１２２；Ｎｏ）、受信したジョブデータに係る画像形成（印刷）を即時実行させる（ステップＳ１２３）。
【００５４】
ＣＰＵ５７は、受信したジョブデータに出力保留の指示が付加される場合（ホールドモードの場合）は（ステップＳ１２２；Ｙｅｓ）、該受信したジョブデータを記憶部（ハードディスク装置６２）に保存し（ステップＳ１２４）、即時の画像形成は行わない。
【００５５】
画像形成装置２０はホールドモードでハードディスク装置６２に保存されているジョブデータに対して削除、複製、編集などの操作を当該画像形成装置２０の表示操作部２３を通じて受け付け可能に構成されている。編集可能な項目には、出力トレイの変更、片面印刷／両面印刷の変更など画像形成装置２０側の処理のみで対応可能なものと、色調の変更など画像形成装置２０側の処理のみでは対応できず、プリンタコントローラ１０でのラスタライズによるイメージデータの再生成（再ＲＩＰ）を要するものとがある。
【００５６】
画像形成装置２０のＣＰＵ５７は、ハードディスク装置６２に保存されているジョブデータに対する編集操作を受けると（ステップＳ１２５）、該編集操作によって再ＲＩＰが必要となったか否かを判断する（ステップＳ１２６）。再ＲＩＰが必要な場合は（ステップＳ１２６；Ｙｅｓ）、その旨を表示操作部２３に表示してユーザに通知し（ステップＳ１２７）、プリンタコントローラ１０に対して再ＲＩＰを要求する（ステップＳ１２８）。この要求には、再ＲＩＰを行う場合の処理条件（ユーザの編集操作によって変更された処理条件）が含まれる。
【００５７】
再ＲＩＰの要求を受けたプリンタコントローラ１０は、該要求で指示された処理条件で再ＲＩＰを、先に再ＲＩＰのために保存しておいたデータ（中間データ）に基づいて実行し、イメージデータを再生成する（ステップＳ１１４）。そして、再生成したイメージデータを画像形成装置２０に送信する（ステップＳ１１５）。
【００５８】
画像形成装置２０は、ハードディスク装置６２に記憶されている当該ジョブデータに含まれているイメージデータを、再ＲＩＰにより生成されたイメージデータで置き換える（ステップＳ１２９）。
【００５９】
なお、画像形成装置２０のＣＰＵ５７は表示操作部２３から所定の出力指示を受けると、ハードディスク装置６２に記憶されているジョブデータに基づいて画像形成（プリンタ部２４によるプリント出力）を実行する。
【００６０】
図４は、画像形成装置２０のＣＰＵ５７が表示操作部２３の表示部２３ａに表示する編集画面７０の一例を示している。ＣＰＵ５７は、図示省略のメニュー画面でジョブの選択を受けた後に「編集」釦の操作を受けると、編集モードに入り、表示操作部２３に編集画面７０を表示する。編集画面７０には編集中のページのプレビュー画像７１が表示される。プレビュー画像７１の表示エリアの下方には、編集対象のページのページ番号を示すページ番号欄７２と、編集対象のページを切り替えるためのページ切り替え釦７３が表示される。また、編集画面７０には、編集対象の項目毎に、その項目名と設定値とが対応付けて表示されている。確定釦７４は、編集内容を確定させるための操作釦である。ユーザは編集対象の項目を選択してその設定値を変更する操作を、当該編集画面７０を通じて行うことができる。
【００６１】
プリンタコントローラ１０から受信してハードディスク装置６２に記憶したジョブデータには、編集画面７０に表示したすべての項目の設定値を示すデータが含まれている。
【００６２】
図５は、編集モードにおいて画像形成装置２０のＣＰＵ５７が行う処理の流れを示している。ＣＰＵ５７は、編集対象のジョブのジョブデータをハードディスク装置６２から読み出し、これを不揮発メモリ６１内の所定のエリアに複製してバックアップする（ステップＳ２０１）。次に編集画面７０を表示操作部２３に表示してユーザから各種の編集操作を受け付ける（ステップＳ２０２）。編集画面７０に表示する各項目の設定値はジョブデータに含まれている設定値の各値を反映させたものである。ＣＰＵ５７はユーザから編集操作を受けるごとに、ハードディスク装置６２に記憶してあるジョブデータの中の該当する項目の設定値を編集操作後の値に変更する。
【００６３】
編集画面７０の確定釦７４が押下されると（ステップＳ２０３）、ＣＰＵ５７は、編集したジョブデータとバックアップしてあるジョブデータとを比較して変更された項目を認識し、その変更された項目が再ＲＩＰを要する項目であるか否かを調べる。より詳細には、編集画面７０に表示される各項目について、その項目が再ＲＩＰを必要とする項目であるか否かを示す情報がＲＯＭ５８あるいはＲＡＭ５９に予め記憶されており、ＣＰＵ５７はこの情報を参照して、編集操作において変更された項目の中に再ＲＩＰを要する項目があるか否かを判定する。
【００６４】
再ＲＩＰを要する項目が変更されていない場合は（ステップＳ２０４；Ｎｏ）、処理を終了する。再ＲＩＰを要する項目が変更されている場合は（ステップＳ２０４；Ｙｅｓ）、図６に示すような問い合わせ画面８０を表示操作部２３の表示部２３ａにポップアップ表示する（ステップＳ２０５）。問い合わせ画面８０には、今回の編集操作に係る変更より再ＲＩＰが必要になる旨の通知と再ＲＩＰの実行許否をユーザに問い合わせるメッセージ８１と、再ＲＩＰする場合に押下される「はい」釦８２と、編集操作に係る変更をキャンセルする場合に押下される「いいえ」釦８３とが表示される。
【００６５】
「いいえ」釦８３が押下された場合は（ステップＳ２０６；Ｎｏ）、編集操作に従って変更したジョブデータを、バックアップしてある元のジョブデータに戻す（ステップＳ２０７）。さらに、編集操作に係る変更がキャンセルされて元の設定値に戻した旨のメッセージを表示した（ステップＳ２０８）のち、ステップＳ２０２へ移行し、改めて編集操作を受け付ける。
【００６６】
「はい」釦８２が押下された場合は（ステップＳ２０６；Ｙｅｓ）ＣＰＵ５７はプリンタコントローラ１０に対して再ＲＩＰの要求を送信する（ステップＳ２０９）。この要求には、再ＲＩＰを行う場合の処理条件（ユーザの編集操作によって変更が必要となった処理条件）が含まれる。たとえば、ジョブデータのうちイメージデータを除く部分が、処理条件を示す情報としてプリンタコントローラ１０に送信される。
【００６７】
図３で説明したように、プリンタコントローラ１０はこの要求に従って再ＲＩＰを行う。画像形成装置２０は再ＲＩＰによって生成されたイメージデータをプリンタコントローラ１０から受信すると、ハードディスク装置６２に記憶されている該要求に係るジョブデータのイメージデータを、再ＲＩＰにより生成されたイメージデータで置き換える。また、編集画面７０内のプレビュー画像７１を、この再ＲＩＰにより生成されたイメージデータに基づくプレビュー画像に更新する（ステップＳ２１０）。なお、このあと、さらに編集操作の受け付けを継続してもよいし、編集画面７０を閉じて編集操作の受け付けを終了するように構成されてもよい。
【００６８】
このように、編集操作によって再ＲＩＰが必要となった場合に、再ＲＩＰが必要となったことをユーザに通知するので、ユーザは自分の行った編集により再ＲＩＰが行われることを認識することができる。また、再ＲＩＰするか編集をキャンセルするかを選択できるので、ユーザは自己の時間的都合に合わせて編集作業の進め方を選択することができる。
【００６９】
＜第２の実施の形態＞
本発明の第２の実施の形態に係る画像形成システム５の構成は図１、図２に示すものと同様であり、その説明は省略する。第２の実施の形態では、第１の実施の形態の編集画面７０に代えて、図７に示す編集画面７０Ｂが表示操作部２３に表示される。編集画面７０Ｂにおいては、各項目が再ＲＩＰを必要とするか否かが予め表示される。ここでは、再ＲＩＰを要する項目には”＜要ＲＩＰ＞”の文字列７６が付加されている。
【００７０】
ユーザは、各項目が再ＲＩＰを要する項目であるか否かを＜要ＲＩＰ＞の表示の有無によって認識しながら編集作業を行うことができ、たとえば、再ＲＩＰを要する複数の編集項目に係る編集作業をまとめて行ったり、再ＲＩＰを要する項目と再ＲＩＰを要しない項目とに分けて編集作業を行ったりすることで、編集作業を効率的に進めることができる。
【００７１】
第２の実施の形態では、再ＲＩＰを要する変更が行われた場合に、第１の実施に形態と同様に問い合わせ画面８０を表示してもよいし、問い合わせ画面８０を表示しないように構成されてもよい。
【００７２】
＜第３の実施の形態＞
第３の実施の形態に係る画像形成システム５の構成は図１、図２に示すものと同様であり、その説明は省略する。第３の実施の形態では、再ＲＩＰを要する編集が行われた場合に、その再ＲＩＰの推定所要時間が基準時間より短いか否かに応じて問い合わせ画面８０を表示するか否かを切り替えるようになっている。
【００７３】
図８は、ジョブの総ページ数に応じて問い合わせ画面８０を表示するか否かを切り替える場合の処理の流れを示している。ＣＰＵ５７は編集モードに入るとき、その編集対象のジョブの総ページ数をジョブデータから取得し（ステップＳ３０１）、該総ページ数が予め定めた閾値以上か否かを判断する（ステップＳ３０２）。すなわち、再ＲＩＰの推定所要時間をページ数の大小に置き換えて判断する。閾値は基準時間に相当するページ数である。
【００７４】
総ページ数が閾値以下の場合は（ステップＳ３０２；Ｎｏ）、再ＲＩＰの所要時間が基準時間より短いと判断して、問い合わせ画面８０を表示しないようにする。すなわち、編集作業を受け付け（ステップＳ３０３、図５のステップＳ２０２と同じ）、確定釦７４が押下されたら（ステップＳ３０４）、再ＲＩＰの要否を判断し（ステップＳ３０５）、再ＲＩＰを要する場合は（ステップＳ３０５；Ｙｅｓ）、プリンタコントローラ１０へ再ＲＩＰの要求を送信し（ステップＳ３０６）、プリンタコントローラ１０から再ＲＩＰにより生成されたイメージデータを受信すると、編集前のイメージデータをこの再ＲＩＰにより生成されたイメージデータで置き換えると共に、プレビュー画像７１を更新する（ステップＳ３０７）。
【００７５】
一方、総ページ数が閾値以上の場合は、図５の編集処理を行う（ステップＳ３０８）。すなわち、再ＲＩＰを要する場合に、問い合わせ画面８０を表示してユーザに再ＲＩＰする／しないを問い合わせる。
【００７６】
なお、総ページ数に代えて、総データ量で判断してもよい。すなわち、ＲＩＰ処理される前の印刷データあるいは中間データのデータ量の大小に依存してＲＩＰ処理の処理時間が増減する。そこで、総ページ数に代えて編集対象のジョブに係る印刷データあるいは中間データの総データ量を閾値と比較して、問い合わせ画面８０を表示するか否かを判断するように構成してもよい。なお、この場合、プリンタコントローラ１０から送るジョブデータの中に上記の総データ量を示す情報を含める。
【００７７】
総ページ数や総データ量の算出対象を、編集されたページのみにしてもよい。詳細には、前述したように、編集画面７０では編集対象のページを選択してページ単位に編集可能になっている。そこで、画像形成装置２０は編集されたページのみを指定してプリンタコントローラ１０へ再ＲＩＰの要求を送信し、プリンタコントローラ１０は該要求で指定されたページのみ再ＲＩＰするようにする。このようにすれば、同じジョブを再ＲＩＰする場合でも、編集されたページ数の多い少ないによって再ＲＩＰに要する所要時間が変動する。この場合は、編集されたページのみを対象に総ページ数あるいは総データ量を算出して閾値と比較し、問い合わせ画面８０を表示するか否かを判断すればよい。
【００７８】
たとえば、５００ページのうち殆どのページは文章のみでモノクロであり、所々にカラーの挿絵が入っている小説に係る印刷ジョブを対象とする場合に、挿絵ページのみを指定して色調の編集操作を行えば、挿絵ページのみを対象に再ＲＩＰさせることができ、処理時間を短縮することができる。
【００７９】
さらには、編集されたページの中で再ＲＩＰの必要なページをＣＰＵ５７が抽出し、該再ＲＩＰの必要なページのみを指定してプリンタコントローラ１０に対して再ＲＩＰの要求を送信するように構成してもよい。この場合は、再ＲＩＰを要するページのみを対象に総ページ数あるいは総データ量を算出して閾値と比較し、問い合わせ画面８０を表示するか否かを判断すればよい。
【００８０】
なお、総ページ数、総データ量に限らず、再ＲＩＰの所要時間を推定可能な指標であれば、任意の指標を使用してもかまわない。比較される閾値は、たとえば、不揮発メモリ６１に記憶されている。また、該閾値は、ユーティリティ画面など別途の設定画面でユーザが任意に変更可能にされている。
【００８１】
＜第４の実施の形態＞
第４の実施の形態に係る画像形成システム５の構成は図１、図２に示すものと同様であり、その説明は省略する。第４の実施の形態では、再ＲＩＰをプリンタコントローラ１０に対して要求した後の経過時間を画像形成装置２０側で計測する。そして、再ＲＩＰの完了が通知される前に所定の許容時間が経過した場合は、再ＲＩＰを継続するか中止するかの選択をユーザに問い合わせし、中止を選択された場合は、再ＲＩＰの中止要求を画像形成装置２０からプリンタコントローラ１０へ送信するように構成されている。
【００８２】
図９は、第４の実施の形態に係る画像形成装置２０のＣＰＵ５７が行う上記の処理の流れを示している。再ＲＩＰの要求を出すまでの処理は第１、第２、第３の実施の形態のいずれかと同じでよい。再ＲＩＰの要求を送信したら（ステップＳ４０１）、ＣＰＵ５７は、該要求に係るジョブに関するタイマを起動する（ステップＳ４０２）。
【００８３】
プリンタコントローラ１０は再ＲＩＰが完了すると再ＲＩＰの完了通知を画像形成装置２０に送信するように構成されており、画像形成装置２０は再ＲＩＰの要求を送信した後、該要求に対応する完了通知がプリンタコントローラ１０から受信されるか否かを監視する（ステップＳ４０３）。再ＲＩＰの要求と完了通知との対応付けは、たとえば、要求および完了通知に含めた固有のＩＤ番号やジョブ番号などの照合で行われる。
【００８４】
ＣＰＵ５７は、完了通知を受信していない場合は（ステップＳ４０３；Ｎｏ）、タイマを起動してから指定時間（許容時間）が経過したか否かを判断し（ステップＳ４０４）、指定時間が経過していない場合は（ステップＳ４０４；Ｎｏ）、ステップＳ４０３に戻る。指定時間の経過前に完了通知を受信した場合は（ステップＳ４０３；Ｙｅｓ）、当該完了通知に係るジョブに関するタイマを停止させ（ステップＳ４１２）処理を終了する。
【００８５】
完了通知を受信する前に指定時間が経過した場合は（ステップＳ４０４；Ｙｅｓ）、別ジョブの再ＲＩＰ中止画面を表示操作部２３の表示部２３ａに表示しているか否かを調べ（ステップＳ４０５）、表示している場合は（ステップＳ４０５；Ｙｅｓ）、ステップＳ４０３に戻る。別ジョブの再ＲＩＰ中止画面は、たとえば、複数のジョブに対する再ＲＩＰをプリンタコントローラ１０に要求して並列処理させている場合に、別ジョブに対して先に指定時間が到来した場合などに表示される。
【００８６】
別ジョブの再ＲＩＰ中止画面を表示操作部２３の表示部２３ａに表示していない場合は（ステップＳ４０５；Ｎｏ）、再ＲＩＰを中止するか否かを問い合わせる継続問い合わせ画面を表示部２３ａにポップアップ表示する（ステップＳ４０６）。継続問い合わせ画面で中止が選択されなかった場合は（ステップＳ４０７；Ｎｏ）、該継続問い合わせ画面を閉じて（ステップＳ４０８）ステップＳ４０３へ戻る。ただし、以後は継続問い合わせ画面を表示せず、完了通知の受信を待つ。
【００８７】
継続問い合わせ画面で再ＲＩＰの中止が選択された場合は（ステップＳ４０７；Ｙｅｓ）、継続問い合わせ画面を閉じて（ステップＳ４０９）、再ＲＩＰの中止要求をプリンタコントローラ１０へ送信する（ステップＳ４１０）。また、該中止要求に係るジョブのジョブデータをバックアップしておいたジョブデータに戻し（ステップＳ４１１）、該ジョブに関するタイマを停止させて（ステップＳ４１２）処理を終了する。
【００８８】
指定時間の値は、たとえば、不揮発メモリ６１に記憶されている。また、指定時間の値は、ユーティリティ画面など別途の設定画面でユーザが任意に変更可能にされている。指定時間は分単位でも秒単位でもよい。また指定時間を「０」に設定した場合は、再ＲＩＰを継続するか否かの継続問い合わせ画面を表示しないようになっている。
【００８９】
このように、再ＲＩＰを要求した後、指定時間を経過しても再ＲＩＰが完了しない場合は、再ＲＩＰを中止させることができるので、長時間の再ＲＩＰを中止させて別の編集作業に切り替えるといったことができ、ユーザの意志に対応した柔軟な編集作業が可能になる。
【００９０】
以上、本発明の各種実施の形態を図面によって説明してきたが、具体的な構成は実施の形態に示したものに限られるものではなく、本発明の要旨を逸脱しない範囲における変更や追加があっても本発明に含まれる。
【００９１】
実施の形態で示した問い合わせ画面８０などは一例であり、「はい」、「いいえ」などユーザの選択を受け付け可能な画面であれば、任意の画面構成でよい。
【００９２】
実施の形態では、画像形成装置２０としてデジタルカラー複合機を例示したが、スキャナ部２２などを具備せず、単体のプリンタとして構成されてもよく、プリンタコントローラ１０からイメージデータを含むジョブデータを受けてプリント出力する機能を備えていればよい。
【００９３】
実施の形態では、画像形成装置２０の内部にプリンタコントローラ１０が組み込まれている構成例を示したが、プリンタコントローラ１０は画像形成装置２０と別体に設けられてもよい。
【００９４】
実施の形態では、出力保留の有無によってジョブデータをハードディスク装置６２に記憶するか、ジョブを即時実行するかを切り替えたが、常に、ジョブデータをハードディスク装置６２に記憶するように構成されてもよい。
【図面の簡単な説明】
【００９５】
【図１】本発明の実施の形態に係る画像形成システムの構成を示すブロック図である。
【図２】本発明の実施の形態に係る画像形成装置を示す断面図である。
【図３】画像形成システムにおける印刷処理全体の流れを示す説明図である。
【図４】編集画面の一例を示す正面図である。
【図５】編集画面モードにおいて画像形成装置のＣＰＵが行う処理を示す流れ図である。
【図６】問い合わせ画面の一例を示す正面図である。
【図７】項目毎に再ＲＩＰの要否を表示した編集画面の一例を示す正面図である。
【図８】ジョブの総ページ数に応じて、問い合わせ画面を表示するか否かを切り替える場合の処理を示す流れ図である。
【図９】再ＲＩＰの要求を送信後の経過時間を監視する処理を示す流れ図である。
【符号の説明】
【００９６】
２…情報処理装置
３…ネットワーク
５…画像形成システム
１０…プリンタコントローラ
１１…ＣＰＵ
１２…ＬＡＮＩＦ部
１３…画像メモリ
１４…ハードディスク装置
１５…ＤＲＡＭ制御部
２０…画像形成装置
２１…自動原稿送り装置
２１ａ…原稿載置トレイ
２１ｂ…排紙トレイ
２２…スキャナ部
２２ａ…ラインイメージセンサ
２２ｂ…スキャナ制御部
２３…表示操作部
２３ａ…表示部
２３ｂ…操作部
２３ｃ…操作制御部
２４…プリンタ部
２４ｂ…プリンタ制御部
３１…中間転写ベルト
３２…給紙部
３２ａ…給紙カセット
３３…搬送部
３３ａ…通常経路
３３ｂ…反転経路
３４…定着装置
３５…ベルトクリーニング装置
４０Ｙ、４０Ｍ、４０Ｃ、４０Ｋ…像形成部
４１Ｙ、４１Ｍ、４１Ｃ、４１Ｋ…感光体
４２Ｙ、４２Ｍ、４２Ｃ、４２Ｋ…帯電装置
４３Ｙ、４３Ｍ、４３Ｃ、４３Ｋ…現像装置
４４Ｙ、４４Ｍ、４４Ｃ、４４Ｋ…クリーニング装置
４５Ｙ、４５Ｍ、４５Ｃ、４５Ｋ…レーザーユニット
５０…主制御部
５１…読み取り処理部
５２…ＤＲＡＭ制御部
５３ａ…圧縮ＩＣ
５３ｂ…伸張ＩＣ
５４…バス
５５…画像メモリ
５５ａ…ページメモリ
５５ｂ…圧縮メモリ
５６…書き込み処理部
５７…ＣＰＵ
５８…ＲＯＭ
５９…ＲＡＭ
６１…不揮発メモリ
６２…ハードディスク装置
７０、７０Ｂ…編集画面
７１…プレビュー画像
７２…ページ番号欄
７３…ページ切り替え釦
７４…確定釦
７６…＜要ＲＩＰ＞の文字列
８０…問い合わせ画面
８１…メッセージ
８２…「はい」釦
８３…「いいえ」釦
Ｄ…二次転写位置
Ｊ…原稿
ＬＤ…レーザーダイオード
【図１】
2009298043.tif 000003
【図２】
2009298043.tif 000004
【図３】
2009298043.tif 000005
【図５】
2009298043.tif 000006
【図６】
2009298043.tif 000007
【図８】
2009298043.tif 000008
【図９】
2009298043.tif 000009
【図４】
2009298043.tif 000010
【図７】
2009298043.tif 000011